(57)【特許請求の範囲】
【請求項１】
軒樋の底板端部を下側から押さえるクリップ基板と、上記軒樋の底板端部を上側から押さえるクリップ片と、クリップ基板から下方に突出した水切りとが一体に設けられた軒樋用クリップにおいて、
前記クリップ片は、上面が先端側に行くに従って下方に傾斜されて、尖った先端が形成され、両側縁には厚肉部が設けられ、この両側縁の厚肉部のそれぞれの左右両側が先端側に行くに従って接近して尖った先端が形成されていることを特徴とする軒樋用クリップ。
【発明の詳細な説明】
【０００１】
【発明の属する技術分野】
本発明は軒樋用クリップに関する。
【０００２】
【従来の技術】
従来の軒樋用クリップは、実公昭６１−３５６３９号公報、実開平１−１１４７３６号公報に記載されている。
この軒樋用クリップを図３および図４を参照しながら説明する。
軒樋用クリップ１００は、図３に示すように、軒樋の底板端部を下側から押さえるクリップ基板１０１と、上記軒樋の底板端部を上側から押さえるクリップ片１０２と、クリップ片１０２から下方に突出した水切り１０３とが一体に設けられたものである。
【０００３】
この軒樋用クリップ１００の使用方法は、図４に示すように、集水器２００の側面に設けられた切欠部２０１の中に軒樋３００を挿入する。その後、この集水器２００の中に挿入されている軒樋３００の底板端部をクリップ基板１０１とクリップ片１０２との間に挿入して、軒樋用クリップ１００を軒樋３００の端部に取り付ける。
【０００４】
すると、軒樋３００を流れた雨水は、この軒樋３００の底板端部に取り付けられている軒樋用クリップの水切り１０３から集水器２００に流れ落ちるのである。このように使用していると、軒樋３００が夏冬等の温度差によって膨張収縮を繰り返すことによって、軒樋３００が集水器２００の通孔から外方向に移動しても、水切り１０２が集水器２００の切欠部２０１の側縁に引っ掛かって抜けないようになっているのである。
【０００５】
【発明が解決しようとする課題】
しかし、この軒樋用クリップ１００を上記のように使用していると、クリップ片１０２に直接日光が照射される結果、このクリップ片１０２の上面の温度が上昇して伸びる結果、図５に示すように、上方に凸状に湾曲し、軒樋用クリップ１００が軒樋３００の端部から外れ易くなり、軒樋用クリップの本来の目的である集水器２００から軒樋３００が外れることを防止する効果がなくなる。
又、この凸状の湾曲した部分が雨水の流れを妨げたり、軒樋３００の底面と集水器２００の切欠部２０１周縁部との間から雨水が漏るという問題が発生する。
【０００６】
又、施工時に、施工現場で軒樋３００の端部を切断して集水器２００の切欠部の中に挿入しているが、この軒樋３００の端部を切断する際に、軒樋の切断面を長手方向に対して直交する面に正確に切断できなく、通常、直交面よりずれた斜めの面に切断される。
そのために、この斜めの面に切断された軒樋の底板端部に軒樋用クリップ１００を取り付けると、図６に示すように、夏冬等の温度差によって軒樋が膨張収縮したとき、集水器２００の切欠部の周縁部が軒樋用クリップ１００のどちらか一方の縁部（Ｘ）を押す結果、この軒樋用クリップ１００の縁が破損するという問題がある。
【０００７】
そこで、本発明の目的は、軒樋が夏冬等の温度差によって膨張収縮しても、クリップ片の側縁が破損し難い軒樋用クリップを提供することである。
【０００８】
【課題を解決するための手段】
本発明は上記目的を達成するためになしたものであって、請求項１記載の発明は、軒樋の底板端部を下側から押さえるクリップ基板と、上記軒樋の底板端部を上側から押さえるクリップ片と、クリップ基板から下方に突出した水切りとが一体に設けられた軒樋用クリップにおいて、前記クリップ片は、上面が先端側に行くに従って下方に傾斜されて、尖った先端が形成され、両側縁には厚肉部が設けられ、この両側縁の厚肉部のそれぞれの左右両側が先端側に行くに従って接近して尖った先端が形成されているものである。
【０００９】
本発明においては、クリップ基板とクリップ片との間に軒樋の底板端部を挿入するのである。従って、このクリップ基板とクリップ片との間の形状を、軒樋の底板端部とほぼ同じ形状にすればよい。
【００１０】
（作用）本発明軒樋用クリップの使用方法を説明しながら作用について説明する。
本発明軒樋用クリップは、従来と同じように、集水器の側面に設けられた切欠部の中に軒樋を挿入する。その後、この集水器の中に挿入されている軒樋の底板端部をクリップ基板とクリップ片との間に挿入して、軒樋用クリップを軒樋の端部に取り付ける。すると、軒樋を流れた雨水は、この軒樋の端部に取り付けられている軒樋用クリップの水切りから集水器に流れ落ちるのである。
【００１１】
このように使用していると、軒樋が夏冬等の温度差によって膨張収縮を繰り返すことによって、軒樋が集水器の通孔を外方向に移動しても、水切りが集水器の切欠部の側縁に引っ掛かって抜け難い。
【００１２】
請求項１記載の発明では、軒樋が夏冬等の温度差によって膨張収縮を繰り返すことによって、軒樋が集水器の通孔を外方向に移動し、この軒樋の長手方向に対して直交する面よりずれた端部に取り付けられた軒樋用クリップの側縁が集水器の切欠部の周縁に引っ掛かっても、この側縁には厚肉部があるから、この側縁が破損しない。
又、この厚肉部およびクリップ片は先端が尖っているから、軒樋から軒樋用クリップに流れる雨水の抵抗が少なく、スムースに流れて集水器の中に流れてゆく。従って、この厚肉部およびクリップ片によって軒樋を流れる雨水が堰き止められることがない。
【００１３】
【発明の実施の形態】
次に、本発明の実施例を説明する。
（実施例１）図１および図２は本発明軒樋用クリップの一実施例を示すもので、図１（イ）は軒樋用クリップの斜視図、（ロ）は（イ）のＡ−Ａ線における断面図、図２（イ）は図１の軒樋用クリップの使用状態を示す説明図、（ロ）は（イ）のＢ−Ｂ線における断面図である。
【００１４】
図１および図２において、６ｂは軒樋であり、この軒樋６ｂは屋内側壁６１ｂと屋外側壁６２ｂと底板６３ｂとからなる。１ｂはポリ塩化ビニル樹脂製の軒樋用クリップであり、この軒樋用クリップ１ｂはクリップ基板２ｂと、クリップ片３ｂと、水切り４ｂと、厚肉部８ｂとからなる。クリップ基板２ｂは軒樋６ｂの底板６３ｂ端部を下側から押さえるものであって、軒樋６ｂの底板６３ｂと同じ形状、即ち、ほぼ水平になっている。
【００１５】
クリップ片３ａは軒樋の底板端部を上方から押さえるものであって、下面が軒樋６ｂの底板６３ｂと同じようにほぼ水平になっているが、上面が水上側に行くに従って下方に傾斜して先端３１ｂが尖っている。従って、このクリップ基板２ｂとクリップ片３ｂとの間には軒樋６ｂの底板６３ｂとほぼ同じ形状の隙間２３ｂが形成されている。水切り４ｂはクリップ基板２ｂから下方に垂下した板状体である。
【００１６】
厚肉部８ｂはクリップ片３ａの両側に立設されたものであり、この厚肉部８ｂの両側が水上側に行くに従って接近して先端８１ｂが尖っている。７ｂは集水器であり、この集水器７ｂは、両側に軒樋６ｂが挿入できる切欠部７１ｂ、７１ｂが設けられ、下方に竪樋を取り付ける筒状の取付部７３ｂが設けられている。
【００１７】
次に、軒樋用クリップの施工方法、使用状態および作用について説明する。
軒樋用クリップ１ａは、従来と同じように、集水器７ｂの側面に設けられた切欠部７１ｂから集水器７ｂの中に軒樋６ｂの端部を挿入する。
次に、この集水器７ｂの中に挿入されている軒樋６ｂの底板６３ｂ端部をクリップ基板２ｂとクリップ片３ｂとの間に挿入して、軒樋６ｂに軒樋用クリップ１ｂを取り付ける。すると、軒樋６ｂを流れた雨水は、この軒樋６ｂの端部に取り付けられている軒樋用クリップ１ｂの水切り４ｂから集水器７ｂの中に流れ落ちるのである。
【００１８】
この際、クリップ片３ｂは上面が水上側に行くに従って下方に傾斜して先端３１ｂが尖っているから、このクリップ片３ｂの上を雨水が流れるときに、図２（ロ）の矢印に示すように、抵抗なく集水器７ｂの中にスムースに流れ込む。
又、クリップ片３ｂの両側に立設された厚肉部８ｂは、この厚肉部８ｂの両側が水上側に行くに従って接近して先端８１ｂが尖っているから、図２（イ）の矢印に示すように、雨水が尖った先端８１ｂでスムースに別れて集水器の中に流れる。
従って、軒樋６ｂを流れる雨水は堰き止められない。
【００１９】
このように使用していると、軒樋６ｂが夏冬等の温度差によって膨張収縮を繰り返して、軒樋６ｂが集水器７ｂの切欠部７１ｂを外方向に移動しても、水切り４ｂが集水器７ｂの切欠部７１ｂの周縁に引っ掛かって抜け難いのである。
又、施工時に軒樋６ｂを切断したときに軒樋６ｂの長手方向に直交する面よりずれた斜めの面に切断されていると、軒樋６ｂが夏冬等の温度差によって膨張収縮を繰り返して、軒樋６ｂが集水器７ｂの切欠部７１ｂを外方向に移動し、この軒樋６ｂの長手方向の直交する面よりずれた端部に取り付けられた軒樋用クリップ１ｂの側縁（Ｙ）が集水器７ｂの切欠部７１ｂの周縁に引っ掛かっても、クレップ片３ｂの側縁には厚肉部８ｂがあるから、クリップ片３ｂの側縁が破損しない。
【００２０】
【発明の効果】
請求項１記載の発明においては、軒樋が夏冬等の温度差によって膨張収縮を繰り返すことによって、軒樋が集水器の通孔を外方向に移動し、この軒樋の長手方向の直交する面よりずれた端部に取り付けられた軒樋用クリップの側縁が集水器の切欠部の周縁に引っ掛かっても、この側縁には厚肉部があるから、この側縁が破損しない。
又、この厚肉部およびクリップ片は先端が尖っているから、軒樋を流れる雨水の抵抗が少なく、従って、この厚肉部によって軒樋を流れる雨水が堰き止められることがない。
【図面の簡単な説明】
【図１】本発明軒樋用クリップの一実施例を示すもので、（イ）は軒樋用クリップの斜視図、（ロ）は（イ）のＡ−Ａ線における断面図である。
【図２】（イ）は図１の軒樋用クリップの使用状態を示す説明図、（ロ）は（イ）のＢ−Ｂ線における断面図である。
【図３】従来の軒樋用クリップの斜視図である。
【図４】図３の軒樋用クリップの使用状態を示す斜視図である。
【図５】図３の軒樋用クリップのクリップ片が上方に湾曲した状態を示す説明図である。
【図６】 図３の軒樋用クリップのクリップ片が集水器の一端が引っ掛かった状態を示す説明図である。
【符号の説明】
１ｂ  軒樋用クリップ
２ｂ  クリップ基板
３ｂ  クリップ片
３１ｂ  先端
４ｂ  水切り
６ｂ  軒樋
６３ｂ  底板
７ｂ  集水器
７１  切欠部
８ｂ  厚肉部
８１ｂ  先端
【図１】
0003636807.tif 000002
【図２】
0003636807.tif 000003
【図３】
0003636807.tif 000004
【図４】
0003636807.tif 000005
【図５】
0003636807.tif 000006
【図６】
0003636807.tif 000007